(57)【要約】      （修正有）【課題】本考案は、上記の欠点に鑑みてなされたものであって、特別な構造を設けた布団でなくても、一般に使用されている止め紐を設けた掛け布団等の掛け用寝具であれば、簡単に結合することができる汎用性に優れた掛け用寝具のずれ止め具を提供すること。【解決手段】本考案に係る掛け用寝具のずれ止め具１０は、所定長さの帯状紐１１に、雄側留め具やフック側の面ファスナーのような接着具１２と該接着具１２に着脱自在な被接着具１３とを取着してなるものであって、前記接着具１２と雌側止め具やループ側の面ファスナーのような被接着具１３とを結合することにより、前記所定長さの帯状紐１１が輪奈を形成するように構成したものであり、これにより、掛け用寝具を複数枚重ね合わせて結合することができる。【選択図】図４
0003102986.tif 000002
【実用新案登録請求の範囲】
【請求項１】
所定長さの帯状紐に、接着具と該接着具に着脱自在な被接着具とを取着してなるものであって、前記接着具と被接着具とを結合することにより、前記所定長さの帯状紐が輪奈を形成するように構成したことを特徴とする掛け用寝具のずれ止め具。
【請求項２】
接着具が雄側留め具であり、被接着具が雌側止め具であることを特徴とする請求項１に記載の掛け用寝具のずれ止め具。
【請求項３】
接着具がフック側の面ファスナーであり、被接着具がループ側の面ファスナーであることを特徴とする請求項１に記載の掛け用寝具のずれ止め具。
【考案の詳細な説明】
【技術分野】
【０００１】
本考案は、掛け布団、毛布あるいはタオルケットなどの掛け用寝具を複数枚重ねて使用する場合に掛け用寝具同士を結合するための掛け用寝具のずれ止め具に関する。
【背景技術】
【０００２】
従来より布団を複数枚重ねて使用する際に、その複数の布団を結合することが考えられている。その結合手段としては、特別な係合具と、該係合具と係合可能な特別な構造を設けた布団とが使用されている。
【０００３】
また、今日一般に使用されている掛け布団には、その４つの隅角部と両側縁及び上下縁の各中央とに布団カバーとの結合を目的とする止め紐が縫着されており、このような止め紐を設けることが毛布やタオルケットなどの掛け用の寝具にも広まりつつある。
【考案の開示】
【考案が解決しようとする課題】
【０００４】
上記従来の布団の結合手段では、特別な係合手段により係合可能な特別な構造を設けた布団でなければ布団同士を結合できない欠点があった。
【０００５】
本考案は、上記の欠点に鑑みてなされたものであって、特別な構造を設けた布団でなくても、一般に使用されている止め紐を設けた掛け布団等の掛け用寝具であれば、簡単に結合することができる汎用性に優れた掛け用寝具のずれ止め具を提供することにある。
【課題を解決するための手段】
【０００６】
本考案に係る掛け用寝具のずれ止め具は、所定長さの帯状紐に、接着具と該接着具に着脱自在な被接着具とを取着してなるものであって、前記接着具と被接着具とを結合することにより、前記所定長さの帯状紐が輪奈を形成するように構成したことを特徴とする。前記接着具として雄側留め具を使用し、被接着具として雌側止め具を使用してもよく、また、接着具としてフック側の面ファスナーを使用し、被接着具としてループ側の面ファスナーを使用してもよい。
【０００７】
本考案に係る掛け用寝具のずれ止め具を上記のように構成したことにより、例えば前述した止め紐を設けた掛け布団を使用し、これを上下に２枚重ねした掛け布団に対して、上位の掛け布団の止め紐と該止め紐の位置に整合する下位の掛け布団の止め紐との２つの止め紐の双方を潜るように前記ずれ止め具における帯状紐を架け渡し、該帯状紐に取着されている接着具と被接着具とを結合することにより、前記２つの止め紐が該帯状紐にて形成される輪奈内に位置するように該ずれ止め具を２枚重ねした掛け布団の止め紐に取り付けることができる。そして、前記と同様にして、掛け布団の四つの隅角部と両側縁及び上下縁の各中央とに設けられている全ての止め紐それぞれに、該ずれ止め具を取り付けて、上下に２枚重ねした掛け布団を結合することができる。また、前記接着具と被接着具とを分離して、掛け布団から該ずれ止め具を取り外せば、上下の掛け布団を分離することができる。
【考案の効果】
【０００８】
以上のように本考案に係る掛け用寝具のずれ止め具は、止め紐が設けられている掛け用の寝具であればどのような寝具であっても、複数枚重ねて容易に結合することができ、重ね合わせた複数の掛け用の寝具がずれることを防止できる。したがって、このように結合した複数の掛け用寝具は、これを使用した場合に、たとえ寝返りをうつようなことがあっても重ね合わせた寝具がずれることがないので、安眠できる利点がある。また、掛け用寝具を複数枚重ねて使用することが不要である場合には、該ずれ止め具を取り外して、結合した掛け用寝具を簡単に分離することができるので、便利である。
【考案を実施するための最良の形態】
【０００９】
以下、本考案の掛け用寝具のずれ止め具の好適な実施例を図面に基づいて説明する。図１は掛け布団を２枚重ね合わせる状態を示す斜視図であり、図２は本実施例に係る掛け用寝具のずれ止め具（以下、「ずれ止め具」という。）の斜視図であり、図３は２枚重ね合わせた掛け布団にずれ止め具を取り付けて結合する状態を示す斜視図であり、図４はずれ止め具の取り付け方を示す部分拡大斜視図である。
【００１０】
図１において、Ａは２枚重ねした掛け布団のうちの上位の掛け布団を示し、Ｂは下位の掛け布団を示す。各掛け布団Ａ、Ｂには、それぞれの４つの隅角部に止め紐ａ１、ｂ１が設けられており、両側縁及び上下縁の各中央とには止め紐ａ２、ｂ２が設けられている。前記止め紐ａ１、ｂ１は、各掛け布団Ａ、Ｂの隅角部の２辺を跨ぐように架け渡されており、前記止め紐ａ２、ｂ２は、各掛け布団Ａ、Ｂの各辺から突出するループをなすものである。
【００１１】
図２において、１０は本実施例に係るずれ止め具を示し、該ずれ止め具１０は、所定長さの帯状紐１１に接着具としての雄側スナップ１２と、前記雄側スナップ１２に嵌合する被接着具としての雌側スナップ１３とが取着されており、前記雄側スナップ１２と雌側スナップ１３とを嵌合させれば、帯状紐１１が輪奈を形成する構成となっている。前記雄側スナップ１２は雄側留め具に類するものであり、雌側スナップ１３は雌側留め具に類するものであって、互いに着脱可能なものである。なお、接着具及び被接着具として着脱自在なものであれば、どのようなものを使用してもよく、例えば接着具としてフック側の面ファスナーを使用し、被接着具としてループ側の面ファスナーを使用してもよい。
【００１２】
そして、図１に示す２枚重ねの掛け布団Ａ、Ｂに対して、図２に示すずれ止め具１０を取り付けると、図３に示すように２枚の掛け布団が結合される状態となる。すなわち、上下に２枚重ねした掛け布団Ａ、Ｂに対して、図４に示すように、例えば上位の掛け布団Ａにおける１箇所の隅角部の止め紐ａ１と該止め紐ａ１の位置に整合する下位の掛け布団Ｂにおける１箇所の隅角部の止め紐ｂ１との２つの止め紐の双方を潜るように前記ずれ止め具１０における帯状紐１１を架け渡し、該帯状紐１１に取着されている雄側スナップ１２と雌側スナップ１３とを結合することにより、前記２つの止め紐ａ１、ｂ１が該帯状紐１１にて形成される輪奈内に位置するように該ずれ止め具１０を２枚重ねした掛け布団Ａ、Ｂの止め紐ａ１、ｂ１に取り付ける。そして、これと同様にして、掛け布団の四つの隅角部と両側縁及び上下縁の各中央とに設けられている全ての止め紐ａ１、ａ２、ｂ１、ｂ２それぞれに、該ずれ止め具１０を取り付けると、上下に２枚重ねした掛け布団Ａ、Ｂが結合される。
【００１３】
このように本実施例に係るずれ止め具１０は、これを使用すると、上位の掛け布団に止め紐ａ１、ａ２が設けられ、下位の掛け布団に止め紐ｂ１、ｂ２が設けられているため、これら掛け布団を２枚重ねにして容易に結合することができるので、重ね合わせた２枚の掛け布団がずれることを防止できる。したがって、このように結合した２枚の掛け布団を使用した場合には、たとえ寝返りをうつようなことがあっても上位の掛け布団と下位の掛け布団とがずれることがないので、安眠できる利点がある。また、掛け布団を重ねて使用することが不要である場合には、該ずれ止め具は取り外せば、結合した２枚の掛け布団を１枚ずつに分離することができるので、便利である。
【産業上の利用可能性】
【００１４】
本考案に係る掛け用寝具のずれ止め具は、これを使用すれば掛け用寝具を簡単に２枚重ねに結合することができるので、薄い目の掛け用寝具、例えば、布団、肌布団、毛布あるいはタオルケットなどを複数用意しておけば、季節や気候あるいは寝環境に応じてこれらの掛け用寝具を組み合わせて使用することができるので、当該掛け用寝具のずれ止め具は利用価値が高いものである。
【図面の簡単な説明】
【００１５】
【図１】掛け布団を２枚重ね合わせる状態を示す斜視図である。
【図２】本実施例に係る掛け用寝具のずれ止め具の斜視図である。
【図３】２枚重ね合わせた掛け布団にずれ止め具を取り付けて結合する状態を示す斜視図である。
【図４】ずれ止め具の取り付け方を示す部分拡大斜視図である。
【符号の説明】
【００１６】
Ａ・・・上位の掛け布団
ａ１・・上位の掛け布団における隅掛部の止め紐
ａ２・・上位の掛け布団における両側縁及び上下縁の止め紐
Ｂ・・・下位の掛け布団
ｂ１・・下位の掛け布団における隅掛部の止め紐
ｂ２・・下位の掛け布団における両側縁及び上下縁の止め紐
１０・・掛け用寝具のずれ止め具
１１・・帯状紐
１２・・雄側スナップ
１３・・雌側スナップ
【図１】
0003102986.tif 000003
【図２】
0003102986.tif 000004
【図３】
0003102986.tif 000005
【図４】
0003102986.tif 000006